(57)【要約】【課題】山間部等の定期的なメンテナンスが困難な場所に設置しても、自動運転に支障をきたさない除塵機を提供する。【解決手段】先端に櫛歯状のレーキ４を備えたレーキ杆３をガイドフレーム５のガイドローラ１９，１９，１９，１９で挟持して電動ウインチ６とワイヤーロープ７により昇降自在に設け、前記ガイドフレーム５に設けたピン９を揺動装置８，８のパワーシリンダ１０に設けた連結部１１のスライド溝１２に挿通させて連結し、前記ガイドフレーム５をヒンジ１６を支点として架構１に揺動自在に設けると共に前記ガイドフレーム５にバランスウェイト１８を設ける。【選択図】図１
2010043494.tif 000002
【特許請求の範囲】
【請求項１】
先端にレーキを備えたレーキ杆を昇降自在に設けたガイドフレームを架構に揺動自在に設け、該ガイドフレームをパワーシリンダによって揺動させる除塵機において、前記ガイドフレームとパワーシリンダのシリンダロッドをスライド溝を設けた連結部材と、前記スライド溝に挿入した連結軸を介して連繋したことを特徴とする除塵機。
【請求項２】
前記ガイドフレームにバランスウエイトを設けたことを特徴とする請求項１記載の除塵機。
【請求項３】
前記レーキに押圧用フィンを回動自在に設けたことを特徴とする請求項１または請求項２記載の除塵機。
【発明の詳細な説明】
【技術分野】
【０００１】
本発明は、山間部等の定期的なメンテナンスを行い難い場所に設置しても自動運転に支障を起こさない掻揚げ式除塵機に関するものである。
【背景技術】
【０００２】
従来、河川や水路等に用いられる塵芥除去のための掻揚げ式除塵機として、特許文献１に示すようなワイヤーロープ式やロータリー又は油圧レーキ式等の除塵機が用いられているが、山間部等の迅速且つ定期的なメンテナンスができない場所に設置する場合、除塵機のレーキが掻き揚げることができる重量以上の塵芥が堆積した場合、その塵芥を人手により除去しない限り連続的な運転が行なわれなくなるという問題があった。
【特許文献１】特開２００４−３３９８８８号公報
【発明の開示】
【発明が解決しようとする課題】
【０００３】
そこで本発明は、山間部等の定期的なメンテナンスを行ない難い場所に設置しても、連続運転が可能な除塵機を提供することを課題とするものである。
【課題を解決するための手段】
【０００４】
本発明は上記課題を解決するためになされたもので、請求項１記載の発明は、先端にレーキを備えたレーキ杆を昇降自在に設けたガイドフレームを架構に揺動自在に設け、該ガイドフレームをパワーシリンダによって揺動させる除塵機において、前記ガイドフレームとパワーシリンダのシリンダロッドを、スライド溝を設けた連結部材と前記スライド溝に挿入した連結軸を介して連繋したことを特徴とする除塵機である。
【０００５】
請求項２記載の発明は、請求項１記載の発明において、前記ガイドフレームにバランスウエイトを装備したことを特徴とする除塵機である。
【０００６】
請求項３記載の発明は、請求項１記載の発明または請求項２記載の発明において、前記レーキに押圧用フィンを回動自在に設けたことを特徴とする除塵機である。
【発明の効果】
【０００７】
請求項１記載の発明によれば、レーキをスクリーン上に降下させる際に、ガイドフレームを揺動させてレーキをスクリーン上から浮き上がらせることによりスクリーン上の塵芥を水面下に押し沈めることがなく、また、レーキの掻揚げ時に掻揚げる塵芥がレーキが掻揚げ限界重量を越えていた時でもスライド溝によりガイドフレームが揺動装置によらず一定の範囲で揺動することができるため、かかる場合にレーキが当該塵芥上を乗り越えてスクリーン上に落下し、引続き上昇するのでレーキを昇降させる駆動装置に過度の負担をかけることなく連続運転をすることができ、従って故障が起こり難く突発的なトラブルも対応することができる。
【０００８】
請求項２記載の発明によれば、レーキのスクリーンに対する押圧力を増し、掻揚げ力を向上させる効果がある。
【０００９】
請求項３記載の発明によれば、レーキに押圧用フィンを設けることにより、水流により前記押圧用フィンを介してレーキがスクリーンに、より密着することでスクリーン上の塵芥を効率よく掻揚げることができる。更に、前記押圧用フィンを回動させて水流方向に対する角度を調節することにより、除塵機を設置する河川の状況に合わせて水流の押圧力を調整することができる。また水流によりレーキがスクリーンに密着するため、その分ガイドフレームに設けたバランスウェイトを軽減することができる。
【実施例１】
【００１０】
図１〜図３は本発明の一実施例を示す正面図、平面図、一部截断側面図で、１は除塵機の架構、２は傾斜して設けたスクリーン、３はスクリーン２上に付着した塵芥を掻揚げる櫛歯状のレーキ４を先端に設けたレーキ杆、５は前記レーキ杆３を昇降自在に設けたガイドフレーム、６は前記レーキ杆３を昇降させるためのワイヤロープ７１と減速機付の原動機７２とドラム７３から構成される電動ウインチ、８，８はガイドフレーム５の上部に設けたピン９をスライド溝１２に挿通させた連結部材１１をシリンダロッド１０の先端に連結した前記ガイドフレーム５を揺動させるためのパワーシリンダ、１３はレーキ４のスクリーン２側に設けたワイパーゴム、１４はレーキ４が掻揚げた塵芥を収納する塵芥箱、１５は水路である。
【００１１】
図４、図５はガイドフレーム５の拡大正面図と拡大側面図、図６〜図９は図５に示すＡ−Ａ線一部截断面図、Ｂ−Ｂ線一部截断面図、Ｃ−Ｃ線一部截断面図、Ｄ−Ｄ線一部截断面図で、１７はレーキ杆３がガイドフレーム５から抜け落ちを防ぐストッパ、１８は円盤状のバランスウエイトで、その取付枚数で重量を変化させることができる。１９，１９，１９，１９はレーキ杆３を挟持するガイドローラ、２０はワイヤーロープ７と係合する滑車である。
【００１２】
レーキ杆３はガイドローラ１９，１９，１９，１９に図示のように挟持されているため、スムーズに昇降し、昇降時に左右にブレることもない。
【００１３】
図１０、図１１はレーキ杆３を水路１５に降下させる際の動作説明図で、先ず、図１０では、パワーシリンダ８，８によりシリンダロッド１０，１０を縮ませて架構１に揺動自在に軸着されたガイドフレーム５をヒンジ１６を支点として揺動させて、レーキ４を前方に移動させ、次いで電動ウインチ６を駆動してワイヤーロープ７１を巻き戻してレーキ４を降下させる。
【００１４】
この時、レーキ４はスクリーン２の前方へ離れて降下するため、スクリーン２に付着した塵芥を水路１５に押し下げることがない。
【００１５】
そして、図１１では、レーキ４が所定の最下位置まで降下したことをリミットスイッチ（図示せず）が検知すると、次いでパワーシリンダ８を駆動して、シリンダロッド１０，１０を伸長させ、この操作によりガイドフレーム５とレーキ４及びレーキ杆３は、その自重並びにガイドフレーム５に設けたバランスウェイト１８によりスクリーン２に向かって揺動すると共にピン９がスライド溝１２の中間位置まで移動し、レーキ４に設けたローラ４ａ，４ａがスクリーン２に強制圧接する。
【００１６】
次に、電動ウインチ６を駆動して、ワイヤーロープ７を介してレーキ杆３を引き上げ、レーキ４はスクリーン２に圧接した状態でローラ４ａによりスムーズに上昇し、スクリーン２に付着した塵埃を掻き上げ、レーキ４がスクリーン２の上まで上昇した時、前記と同様に、ガイドフレーム５がスクリーン２の方向に揺動し、ピン９がスライド溝１２の先端まで移動してガイドフレームの揺動が停止する（図３の状態）。そして、この状態で上昇を継続することにより、レーキ４により掻き出された塵芥はワイパーゴム１３に接触して塵芥箱１４に落とされる。
【００１７】
従来の掻揚げ式除塵機ではレーキが上昇中、例えばスクリーンに電動ウインチの付加荷重以上の塵芥が付着していた場合は、電動ウインチ６の焼付きを防ぐためにリミッターが働いて電動ウインチが停止しまうことがあった。しかし、本実施例によれば、かかる場合であっても、ピン９がスライド溝１２を移動してガイドフレーム５が揺動し、レーキ４がスクリーン２から前方へエスケープして当該塵芥上を通過するため、電動ウインチ６のリミッターが働くことなく連続運転をすることができる。
【実施例２】
【００１８】
図１２は本発明の請求項３記載の発明の一実施例を示す拡大正面図で、２１，２１はレーキ４に設けた軸２２，２２に回動自在に設けられた押圧用フィン、２３，２３，２３，２３は前記押圧用フィンの回動を固定するためのボルトである。
【００１９】
図１３（ａ）は図１２のＥ−Ｅ線一部截断側面図、図１３（ｂ）は押圧用フィンの角度を変えた場合の概略説明図で、２４は押圧用フィンの角度を固定するための固定器具、２５は櫛歯状の掻揚げ部で、図ではレーキ杆３に対して３０度の角度になるように設けられている。
【００２０】
この実施例によれば、押圧用フィンによりレーキ４が水流によりスクリーン２の方向へ押圧されるため、スクリーン２との密着度が高められスクリーン上の塵芥を効率よく掻揚げることができ、バランスウェイト１８によるスクリーン方向への押圧力を強化する効果がある。
【００２１】
また、図１３（ｂ）の場合は、図１３（ａ）に比べて水流が押圧用フィンの下部を通って逃げるため水路の水流の速さが速い場合は押圧用フィン２２の角度を長さの異なる固定器具２４を使用して変化させることにより、水流の押圧力を調整することができる。
【図面の簡単な説明】
【００２２】
【図１】本発明の実施例１の正面図。
【図２】本発明の実施例１の平面図。
【図３】本発明の実施例１の一部截断側面図。
【図４】本発明の実地例１のガイドフレームの拡大正面図。
【図５】本発明の実地例１のガイドフレームの拡大側面図。
【図６】図６に示すＡ−Ａ線一部截断面図。
【図７】図６に示すＢ−Ｂ線一部截断面図。
【図８】図６に示すＣ−Ｃ線一部截断面図。
【図９】図６に示すＤ−Ｄ線一部截断面図。
【図１０】本発明の実施例１の動作説明図。
【図１１】本発明の実施例１の動作説明図。
【図１２】本発明の実施例２の拡大正面図。
【図１３】（ａ）図は図１１のＥ−Ｅ線一部截断面図、（ｂ）図は押圧用フィンの角度を変えた場合の概略説明図。
【符号の説明】
【００２３】
１        架構
２        スクリーン
３        レーキ杆
４        レーキ
５        ガイドフレーム
６        電動ウインチ
７        ワイヤロープ
８        揺動装置
９        ピン
１０      パワーシリンダ
１１      連結部
１２      スライド溝
１３      ワイパーゴム
１４      塵芥箱
１５      水路
【図１】
2010043494.tif 000003
【図２】
2010043494.tif 000004
【図３】
2010043494.tif 000005
【図４】
2010043494.tif 000006
【図５】
2010043494.tif 000007
【図６】
2010043494.tif 000008
【図７】
2010043494.tif 000009
【図８】
2010043494.tif 000010
【図９】
2010043494.tif 000011
【図１０】
2010043494.tif 000012
【図１１】
2010043494.tif 000013
【図１２】
2010043494.tif 000014
【図１３】
2010043494.tif 000015